(57)【要約】  本発明は、キャリアパッケージ及びキャリアパッケージのキャリア構造に関する。キャリアパッケージのカバー（３）は、内側部分（３ａ）、外側部分（３ｂ）、及び、内側部分（３ａ）と外側部分（３ｂ）との間のハンドルストリップ（６）を含む。ハンドルストリップ（６）の一部が、外側部分（３ｂ）の開口部（１４）を通して引き出され、それにより、ループ状のハンドル（５）をカバー（３）の外側に形成することができる。ハンドルストリップ（６）の端部は、留め付け点（７ａ，７ｂ）にてカバーに固定され、少なくとも１つのフリースペース（８，８ａ，８ｂ）が留め付け点間の部分に予め形成され、フリースペースは、留め付け点が互いに向って移動することを可能にする。
2007533557.tif 000002
【特許請求の範囲】
【請求項１】
複数の飲料パッケージ（１３）を内部に配置可能なキャリアパッケージであって、
底部（１）、少なくとも２つの側壁（２）、及びカバー（３）と、
カバー（３）の、互いに重ね合わせて配置された内側部分（３ａ）及び外側部分（３ｂ）と、
カバー（３）上に形成された少なくとも１つのハンドル（５）と、
を含むキャリアパッケージにおいて、
カバー（３）が、カバー（３）の内側部分（３ａ）と外側部分（３ｂ）との間に配置された、少なくとも１つの細長いハンドルストリップ（６）を含み、
ハンドルストリップ（６）が、第１の留め付け点（７ａ）及び第２の留め付け点（７ｂ）からカバー（３）に留め付けられ、
少なくとも１つのフリースペース（８，８ａ，８ｂ）が、カバー（３）の、第１留め付け点（７ａ）と第２留め付け点（７ｂ）との間の部分に予め形成されており、
カバー（３）の外側部分（３ｂ）に、少なくとも１つの開口部（１４）が設けられており、この開口部（１４）を通して、ハンドルストリップ（６）の一部が外側部分（３ｂ）の外側に引き出されて、ループ状のハンドル（５）を形成することができ、
留め付け点（７ａ，７ｂ）が、ハンドル（５）を形成するときに互いに向って移動されるように配置されていることを特徴とするキャリアパッケージ。
【請求項２】
折り曲げ点（１１）が、留め付け点（７ａ，７ｂ）と、カバー（３）の構造の残りの部分との間に配置され、この折り曲げ点（１１）が、留め付け点（７ａ，７ｂ）が互いに向って移動することを可能にすることを特徴とする請求項１に記載のキャリアパッケージ。
【請求項３】
カバー（３）の２つの対向する端部に、カバー（３）の構造の残りの部分に折り曲げ点（１１）を介して連結された支持フラップ（１０）が設けられ、
留め付け点（７ａ，７ｂ）が支持フラップ（１０）の位置に配置され、且つ、
予め決められた力がハンドルストリップ（６）に加えられたときに、支持フラップ（１０）がキャリアパッケージの底部（１）に向って回転するように支持フラップ（１０）が配置されていることを特徴とする請求項１に記載のキャリアパッケージ。
【請求項４】
フリースペース（８，８ａ，８ｂ）が、カバーの内側部分（３ａ）に形成された少なくとも１つの開口部（２３）を含むことを特徴とする請求項１〜３のいずれか一項に記載のキャリアパッケージ。
【請求項５】
フリースペース（８）が、カバーの内側部分（３ａ）とハンドルストリップ（６）との間の空間に形成されることを特徴とする請求項１〜３のいずれか一項に記載のキャリアパッケージ。
【請求項６】
引裂可能な補強部（９）が、カバー（３）の外側部分（３ｂ）に、ハンドルストリップ（６）の位置に形成され、且つ、
補強部（９）が、補強部（９）の下に配置されたハンドルストリップ（６）に固定され、これによりハンドル（５）の一部を形成することを特徴とする請求項１〜５のいずれか一項に記載のキャリアパッケージ。
【請求項７】
キャリアパッケージの全体がパッキングボードから形成されることを特徴とする請求項１〜６のいずれか一項に記載のキャリアパッケージ。
【請求項８】
キャリアパッケージが単一のシート状ブランク（１５）から形成されることを特徴とする請求項１〜７のいずれか一項に記載のキャリアパッケージ。
【請求項９】
キャリア構造であって、
互いに重ね合わされた、少なくとも１つの内側支持層（２６）及び少なくとも１つの外側支持層（２７）と、
外側支持層（２７）の外側に延在するように配置された少なくとも１つのハンドル（５）と、
を含むキャリア構造において、
キャリア構造が、内側支持層（２６）と外側支持層（２７）との間に配置された少なくとも１つの細長いハンドルストリップ（６）を含み、
ハンドルストリップ（６）が、第１の留め付け点（７ａ）及び第２の留め付け点（７ｂ）から、少なくとも１つの支持層（２６，２７）に留め付けられ、
キャリア構造が、少なくとも１つの留め付け点（２６，２７）に接続された少なくとも１つのフリースペース（８ａ，８ｂ，８）を含み、
外側支持層（２７）が、少なくとも１つの開口部（１４）を含み、当該開口部（１４）を通して、ハンドルストリップ（６）の一部を、外側支持層（２７）の外側に引き出してループ状のハンドル（５）を形成することができ、
ハンドル（５）を形成するときに、少なくとも１つの留め付け点（７ａ，７ｂ）が別の留め付け点に向って移動されるように配置されているキャリア構造。
【請求項１０】
少なくとも１つ留め付け点（７ａ，７ｂ）が、予め決められた屈曲部（２８）を介して、少なくとも内側支持層（２６）に連結されていることを特徴とする請求項９に記載のキャリア構造。
【請求項１１】
フリースペース（８ａ，８ｂ，８）が、内側支持層（２６）内に形成された少なくとも１つの開口部（２３）を含むことを特徴とする請求項９又は１０に記載のキャリア構造。
【請求項１２】
フリースペース（８）が、内側支持層とハンドルストリップ（６）との間の空間に形成されることを特徴とする請求項９又は１０に記載のキャリア構造。
【発明の詳細な説明】
【技術分野】
【０００１】
本発明は、複数の飲料パッケージを内部に配置可能なキャリア（運搬）パッケージに関し、このキャリアパッケージは、底部、少なくとも２つの側壁、及びカバーを含み、カバーの内側部分と外側部分が互いに重ね合わせて配置され、少なくとも１つのハンドルがカバー上に形成されている。
【０００２】
本発明は、また、キャリア構造に関し、このキャリア構造は、互いに重ね合わされた少なくとも１つの内側支持層及び少なくとも１つの外側支持層と、外側支持層の外側に延在するように配置された少なくとも１つのハンドルとを含む。
【背景技術】
【０００３】
ボトル、カン、及びこれらと類似の飲料パッケージは、厚紙からつくられたキャリアパッケージに包装されることができる。キャリアパッケージは、飲料パッケージの周囲にカバーリングを形成し、このカバーリングが内側に飲料パッケージを保持する。一般的に、パッケージには、パッケージの上方部分に、消費者が容易に取り扱うことを可能にするためのハンドルが設けられている。知られているハンドルはプラスチック材料からつくられ、キャリアパッケージのカバーに接着され得る。このようなキャリア構造に関する欠点は、別個のプラスチック部品をつくり、ハンドルを形成するように組み立てなくてはならないことであり、これが製造手順の速度を遅くしている。
【発明の開示】
【発明が解決しようとする課題】
【０００４】
本発明の目的は、改良された新しいキャリアパッケージ及びキャリア構造を提供することである。
【課題を解決するための手段】
【０００５】
本発明に従うキャリアパッケージは、パッケージのカバーが、カバーの内側部分と外側部分との間に配置された、少なくとも１つの細長いハンドルストリップを含み、このハンドルストリップが、第１の留め付け点及び第２の留め付け点からカバーに留め付けられ、少なくとも１つのフリースペースが、カバーの、第１留め付け点と第２留め付け点との間の部分に予め形成されており、カバーの外側部分に、少なくとも１つの開口部が設けられ、この開口部を通して、ハンドルストリップの一部が外側部分の外側に引き出されて、ループ状のハンドルを形成することができ、且つ、留め付け点が、ハンドルを形成するときに互いに向って移動されるように配置されていることを特徴とする。
【０００６】
本発明に従うキャリア構造は、キャリア構造が、内側支持層と外側支持層との間に配置された少なくとも１つの長手方向のハンドルストリップを含み、ハンドルストリップが、第１の留め付け点及び第２の留め付け点から、少なくとも１つの支持層に留め付けられ、キャリア構造が、少なくとも１つの留め付け点に接続された少なくとも１つのフリースペースを含み、外側支持層が、少なくとも１つの開口部を含み、当該開口部を通して、ハンドルストリップの一部を、外側支持層の外側に引き出してループ状のハンドルを形成することができ、且つ、少なくとも１つの留め付け点が、ハンドルを形成するときに第２の留め付け点に向って移動されるように配置されていることを特徴とする。
【０００７】
本発明の本質的な概念は、キャリアパッケージのカバーが、互いに重ね合わされた少なくとも２つの層、すなわち、内側部分及び外側部分を含むことである。細長いハンドルストリップが内側部分と外側部分の間に配置され、この配置から、キャリアパッケージのハンドルが、パッケージが取り扱われるときに好都合に形成されることができる。ハンドルストリップは、ハンドルストリップの端部からカバーに留め付けられ、カバーの外側部分に、前記留め付け点間の部分の上でハンドルストリップを掴むことを可能にする開口部が設けられる。カバーには、さらに、ハンドルストリップの留め付け点が互いに向って移動することを可能にする、少なくとも１つのフリースペースが予め決め形成されており、これにより、移動の結果解放されたハンドルストリップの一部が、ループ状ハンドルをカバーの外側に形成し得る。
【０００８】
本発明は、ハンドルがカバーの外側部分により保護されており、これにより、ハンドルを引き出す以前にハンドルに重圧がかからないという利点をもたらす。さらに、休止位置において、ハンドルは、キャリアパッケージの外見に実質的に影響を与えない。本発明の構造は、また、堅固で十分に大きいハンドルを形成することを可能にする。
【０００９】
本発明の実施形態の本質的な概念は、カバーの端部に、ハンドルストリップが上方に引き上げられるときにキャリアパッケージの底部に向って下方に回転するように配置された支持フラップが設けられることである。こうして、支持フラップは、飲料パッケージをキャリアパッケージ内に支持することができ、この場合、飲料パッケージはキャリアパッケージから抜け落ちることがない。
【００１０】
本発明の実施形態の本質的な概念は、キャリアパッケージが単一のシート状ブランクからつくられることである。これが、キャリアパッケージの製造を、より容易にし、ブランクの取り扱いを容易にする。さらに、製造工程の数が低減され、従って、製造が速くなり、また製造コストが低くなり得る。
【００１１】
本発明の実施形態の本質的な概念は、キャリアパッケージの外側カバー及びハンドル構造がパッキングボードからつくられることである。パッキングボードからつくられるパッケージは、耐久性があり、焼却されることができ、又は、再生繊維として用いられることができる。厚紙の価格も有利であり、また、厚紙に高品質の印刷を施すことができる。
【００１２】
本発明の実施形態の本質的な概念は、キャリアパッケージがダンボール紙から作られることである。
【００１３】
本発明の実施形態の本質的な概念は、カバーの外側部分に、ハンドルストリップに固定され得る引裂可能な補強部が設けられることである。こうして、補強部はハンドルの構造を補強し得る。さらに、この補強部により、カバーの外側部分が、望ましい印刷が施され得る実質的に滑らかな面になり得る。
【００１４】
本発明の実施形態の本質的な概念は、キャリアパッケージのブランクの短い側方の両方に、ブランクの短い側方の外縁の厚さが等しくなるように折り曲げ部分が設けられることである。これにより、ブランクは、より取り扱い易くなり、また、パッケージマシン内への供給がより容易になる。
【発明を実施するための最良の形態】
【００１５】
以下に、本発明を、添付図面を参照しつつ、より詳細に説明する。
【００１６】
説明を明瞭にするために、本発明は、図面に簡単な形態で説明されている。複数の図において、類似の部品は同じ参照符号で示される。
【００１７】
図１は、底部１、少なくとも２つの側壁２、及び、カバー３を含むキャリアパッケージを示す。側壁２は、パッケージの長い側方に配置され得る。パッケージの短い側方、すなわち端部１２には、壁部が必ずしも設けられる必要はなく、端部１２は開放されていてよい。側壁２は、下部２ａ及び上部２ｂから構成され得る。下部２ａは、ボトルの下部をパッケージ内の所定位置に維持するための複数の開口部４ａ又は類似の要素を含み得る。また、側壁２の上部２ｂには、ボトルの上部を所定位置に維持するための開口部４ｂ、又は対応する要素が設けられ得る。さらに、パッケージの側壁２には、ボトルをキャリアパッケージから引き出すための１以上の引裂可能なフラップが設けられ得る。側壁が平坦な面でなく、底部１とカバー３との結束を維持する１以上のストリップ又は対応する要素から形成され得ることも可能である。キャリアパッケージのカバー３は、キャリアパッケージを掴んで運ぶためのハンドル５を含む。カバー３は、互いに重なり合う少なくとも２つの層、すなわち、内側層３ａと外側層３ｂとを含み得る。カバーの外側の層３ｂは、そのほぼ中央に開口部を含む実質的に平らな（均一の）面であることができ、この開口部から、必要であればハンドル５が引き出されて、カバー３の外面の側にループを形成することができる。ハンドル５は、カバー３の外面の側に十分に突出するための寸法を有することができる。こうして、ハンドル５は堅固なグリップをもたらし、パッケージの取り扱いは容易である。キャリアパッケージが積み重ねられて、荷台（パレット）上又は輸送パッケージに配置されるとき、隠されているハンドル５は、積み重ねを全く妨害しない。最初に、消費者は、所望のキャリアパッケージを選び、その後、ハンドル５をカバー３の構造的カバーから引き出し、次いで、ハンドル５を、パッケージを取り扱うために用い得る。良好に保護されているハンドル５は、積み重ね及び輸送中に損傷されない。ハンドル５は、カバー３の内側層３ａと外側層３ｂとの間に配置された細長いハンドルストリップ６から形成されることができ、ハンドルストリップ６は、ハンドルストリップ６の第１端部からは、留め付け点７ａにて、また、ハンドルストリップ６の第２端部からは、留め付け点７ｂにて、カバー３の内側の部分３ａに固定され得る。留め付け点７ａ，７ｂは、カバー３の短い側方の端部に配置され得る。ハンドルストリップ６は、留め付け点７ａと７ｂの間の部分の上では固定されずに（ｆｒｅｅｌｙ）休止し、それにより、ハンドルストリップ６は、図１及び図３に示されているように、位置６ａから、カバー３の外面の外側の位置６ｂに持ち上げられ得る。さらに、カバー３の内側の部分３ａに、少なくとも１つのフリースペース８ａ，８ｂが、留め付け点７ａ，７ｂの間に設けられる。フリースペース８ａ，８ｂは、ハンドルストリップ６が持ち上げられているときに、留め付け点７ａと留め付け点７ｂが互いに向って移動することを可能にする。フリースペース８ａ，８ｂが、留め付け点７ａと留め付け点７ｂが互いに向って移動することを可能にするため、留め付け点７ａと留め付け点７ｂの間の距離は減少し、ハンドルストリップ６は、ループ状のハンドル５をカバー３の外面の側に形成し得る。ハンドルストリップ６の構造は、非伸張性であってよく、キャリアパッケージの他の部分と同じ材料からつくられ得る。フリースペース８ａ，８ｂは、カバー３の内側の部分３ａに予め形成されている開口部であり得る。このようなフリースペース８ａ，８ｂは、留め付け点７ａ，７ｂの両方の付近に形成され得る。しかし、フリースペースを、留め付け点の一方に関してだけ配置することで十分な場合もある。さらに、カバー３の他の外側部分３ｂには、引裂可能な部分が設けられることができ、この部分は、ハンドル５の補強部９として機能し得る。ハンドル５は補強部９により保護されることができ、この場合、ハンドル５は、休止位置にあるとき、キャリアパッケージの外見に影響しない。さらに、補強部９には印刷が施され得る。カバー３の短い側方の両方には支持フラップ１０も設けることができ、支持フラップ１０は、ハンドル５が持ち上げられるときに、折り曲げ線１１に沿って下向きに回転可能である。従って、支持フラップ１０は、パッケージの端部１２に、予め決められた寸法の面を形成することができ、この面は、キャリアパッケージの内部に配置された飲料パッケージ１３を、キャリアパッケージが持ち運ばれるときに支持することができる。こうして、この飲料パッケージ１３は、キャリアパッケージから抜け落ちることがない。
【００１８】
図２は、キャリアパッケージの上面図を示し、図３は、キャリアパッケージの端面図を示す。カバー３の外側の開口部１４は、所望の寸法及び形状でつくられることができ、これは補強部９も同様である。ハンドルストリップ６の端部は、支持フラップ１０に留め付けられ得る。フリースペース８ａ，８ｂは、ハンドルストリップ６より下に配置された、カバー部に設けられた開口部であることができ、このような開口部は、所望の形状、例えば矩形に形成され得る。ハンドルストリップ６は、キャリアパッケージの均一な（ｕｎｉｆｏｒｍ）部分を形成し得る。又は、ハンドルストリップ６は、例えば、接着剤、ステープル、形状ロック又は他の適切な固定構造によりカバー３に固定される別個のピースであり得る。或る場合には、複数のハンドルストリップ６を重ね合わせて配置することができる。ハンドルストリップ６も、キャリアパッケージのカバー、及び他の部分も、この目的に適した厚紙、段ボール紙、又は他のファイバー材料からつくられ得る。
【００１９】
図３に示されているように、飲料パッケージ１３は、キャリアパッケージ内に２列で配置され得る。キャリアパッケージの長手方向の長さは、キャリアパッケージが、例えば４個〜２４個の飲料パッケージを運び得るような寸法にされることができる。
【００２０】
図４は、キャリアパッケージブランク１５の折り曲げられていない状態の図を示す。ブランク１５は、パッケージ材料として適した厚紙又は段ボール紙からつくられることができる。ブランク１５は、単一のシート状片から形成されることができる。このようなブランク１５に、必要な開口部、穿孔及び他のタイプのパンチング、並びに、様々な種類の折り目及び他の折り曲げ点を、パンチングプレスにより設けることができる。このように、ブランク１５の基本的な設計は、単一の操作段階でつくられることもでき、高速製造を可能にする。折り曲げ点の第１の組１６が、底部１と側壁２との間に形成される。また、折り曲げ点の第２の組１７が、側壁の下部２ａと上部２ｂとの間に形成される。また、折り曲げ点の第３の組１８が、カバーの内側部分３ａと側壁との間に、及び、これに対応して、外側部分３ｂと側壁との間に形成されることができる。カバーの内側部分３ａは、長手方向のストリップ部１９ａ及び１９ｂを含むことができ、これらのストリップ部の間に、第４の折り曲げ点２０が、これらのストリップ部が折り曲げられ、互いに対して固定されることができるように設けられ得る。こうして、２層から成るハンドルストリップ６が形成される。さらに、ブランクは、細長い開口部２１と、開口部２１の端部における部分２２とを含むことができ、部分２２を介して、ハンドルストリップ６は、カバーの内側部分３ａに接合されることができる。内側部分３ａは、さらに、開放スペース８ａ，８ｂを形成する開口部２３を含む。開口部２３とブランク１５の縁との間に残っている部分は、ハンドルストリップ６が第５の折り曲げ点２４にてカバーの内側部分３ａの面に向って折り曲げられた後に、ハンドルストリップ６の留め付け点７ａ，７ｂとして機能し得る。カバーの外側部分３ｂの長い方の外縁は、ストリップ２５ａ及び２５ｂを含み得る。ストリップ２５ａとストリップ２５ｂは、第６の折り曲げ点２６にて互いに対して折り曲げられ、カバーの外側部分３ｂの下側の面に固定されることができる。そして、ストリップ２５ａ及び２５ｂは、カバーの内側部分の外面に接着されることができる厚み増大バンド（ｔｈｉｃｋｅｎｉｎｇ  ｂａｎｄ）を形成する。ストリップ２５ａ及び２５ｂは、支持フラップ１０の部分にまで延在しないような長手方向寸法を有する。この場合、支持フラップ１０は、ストリップ２５ａ，２５ｂにより形成された厚み増大バンドに固定されない。
【００２１】
図５は、パッケージングマシン内に配置されることができる形態のブランク１５を示す。ストリップ１９ａとストリップ１９ｂは互いに留め付けられており、こうして形成されたハンドルストリップ６は、カバーの内側部部分３ａの外面に向って折り曲げられる。この結果、部分２２の内面２２’が、部分３ａの外面の側に見えている。ハンドルストリップ６は、さらに、留め付け点７ａ，７ｂにてカバーの内側の部分３ａに留め付けられる。開口部２３の間の部分の上では、ハンドルストリップ６は部分３ａに固定されずに、部分３ａの高さに対して垂直方向に持ち上げられることができる。さらに、カバーの外側部分３ｂの縁におけるストリップ２５ａとストリップ２５ｂは、互いに重なり合うように折り曲げられて、部分３ｂの下側面に固定される。キャリアパッケージは、パッケージングマシンにて、ストリップ２５ａ，２５ｂから形成された厚み増大バンドをカバーの内側部分３ａの外面上に留め付けることにより組み立てられることができる。ストリップ２５ａ，２５ｂから形成された厚み増大バンドの厚さは、ハンドルストリップ６の厚さに対応することができ、このことが、カバーの部分３ａと３ｂとを互いに留め付けることをより容易にする。
【００２２】
図６は、別のキャリア構造を示す。この構造において、キャリアパッケージは、内側の支持層２６と、内側支持層２６上に配置された外側の支持層２７とを含む。キャリアパッケージは、さらに、留め付け点７ａ，７ｂにて内側支持層２６に留め付けられた細長いハンドルストリップ６を含む。少なくとも内側支持層２６に、留め付け点７ａ，７ｂにて、屈曲部、例えば折り曲げ点１１が設けられ得る。これにより、予め決められた大きさの力が屈曲部１１に加えられたとき、留め付け点７ａ，７ｂが互いに対して移動され得る。さらに、内側支持層２６に、第１留め付け点７ａから第２留め付け点７ｂまで延在する開口部２３が設けられ得る。開口部２３は、フリースペース８を形成し、力がハンドルストリップ６に加えられたとき、このスペース８内に留め付け点７ａ，７ｂが移動することができる。外側支持層２７には開口部１４が設けられることができ、開口部１４からハンドルストリップ６を見ることができ、また、開口部１４から、ハンドルストリップ６の一部を、外側支持層２７の外面の側に引き出すことができる。この場合、カバーの外側部分３ｂに補強部９は設けられない。キャリアパッケージの他の部分は、様々な形状及び寸法でつくられることができる。
【００２３】
図７ａ及び図７ｂは、さらに、本発明に従うキャリア構造の原理を非常に簡略化した図で示す。ハンドルストリップ６ａと示された休止位置にてハンドル６は静止し、ハンドルストリップ６ｂと示された運搬位置にて、ハンドル６は上方に持ち上げられている。ハンドルストリップ６は、内側支持層２６と外側支持層２７との間に配置され、留め付け点７ａ，７ｂから内側支持層２６に留め付けられている。少なくとも１つのフリースペース８が、留め付け点７ａ，７ｂの間に形成される。さらに、留め付け点７ａ，７ｂは、屈曲部２８を介して、内側支持層２６に結合されている。屈曲部２８は、キャリアパッケージに予め形成された折り曲げ点、ひだ付き部分、又は、キャリアパッケージ内で必要な形態の変更の実行を可能にする他の構造を有する部分を含み得る。図７ａ及び７ｂに示されているように、留め付け点７ａと留め付け点７ｂは、互いに向って移動され得る。ハンドルストリップ６ｂのループ状部の高さＣに影響を与えるものは、留め付け部７ａと７ｂが互いに向って移動される距離、すなわち、寸法Ａから寸法Ｂへの長さの変化がどれだけ大きいかである。高さＣは，少なくとも２０ｍｍ、好ましくは３０ｍｍであり得る。外側支持層２７における開口部１４は、ハンドルストリップ６を握ることを可能にし、また、ハンドル５の形成をコントロールすることを可能にする。幅広い開口部１４が、より幅広いハンドル５を形成することを可能にし、また、ハンドル５を幅広く形成すると、開口部１４はより幅広くされる。
【００２４】
図８は、別のキャリアパッケージブランク１５の、折り曲げられていない状態の図を示す。ブランク１５は単一のシートから形成されることができ、その大部分が、図４に示したブランク１５に対応している。しかし、図８に示した解決手段には、幾つかの違いが見られる。ハンドル６は、第１のハンドルストリップ６’と第２のハンドルストリップ６”とを、パッケージングマシン内で互いに接着することにより形成される。従って、形成されるハンドルストリップ６は２層から成るストリップである。図９は、ブランクの第１の長い側からブランクの第２の長い側に延在する、ハンドルストリップを組み立てるために用いられる接着継手３０を示す。カバーの外側層３ｂに、第１のフラップ３２が、折り曲げ点３１を介して設けられ、第１のフラップ３２は、細長い第１の留め付けストリップ３３、及び、細長い第２のハンドルストリップ６”を含む。パッケージングマシンに入れる前に、第１フラップ３２は、折り曲げ点３１にて折り曲げられて、第１フラップ３２の裏側の面と、カバーの外側層３ｂとが互いに向い合うように接着される。第１留め付けストリップ３３と第２ハンドルストリップ６”との間に、ハンドル６を形成することを可能にするカット３４がある。第１留め付けストリップ３３のために、第１フラップ３２の面は滑らかであり、これが、キャリアパッケージを組み立ててパッケージングマシン内で接着することを容易にする。さらに、第１留め付けストリップ３３の端部に開口部３５を設けることができ、開口部３５は、折り曲げ点１１と共に、ハンドルストリップ６”の留め付け点７ａ”と７ｂ”が互いに向って移動することを可能にする。図８に示したブランク１５においては、開口部１４が、引裂可能な補強部９の片側のみに、ハンドル６を掴むために形成され、この場合、カバー３をパッケージングマシン内で接着することが、より容易になり、カバー３は非常に堅固になるであろう。
【００２５】
図８に示されているブランク１５の第２の短い側は、折り曲げ点１８を介して側壁の上方部分２ｂに連結された第２フラップ３６を含む。第２フラップ３６には、細長い第１のハンドルストリップ６’が設けられ、また、ストリップ６’の端に、留め付け点７ａ，７ｂが設けられている。さらに、第２フラップ３６は、第１ハンドルストリップ６’と折り曲げ点１８との間の部分に第２の留め付けストリップ３７を含み、さらに、厚み増大ストリップ３９を、第１ハンドルストリップ６’と折り曲げ点３８との間の部分に含む。カット３４が、第１ハンドルストリップ６’と第２留め付けストリップ３７との間に、また、第１ハンドルストリップ６’と厚み増大ストリップ３９との間に見られる。第２フラップ３６は、折り曲げ点３８を介して、カバーの内側層３ａと連結されている。パッケージングマシン内に入る前に、カバーの内側層３ａは、折り曲げ点３８にて折り曲げられ、内側層３ａの裏側が、第２フラップ３６の裏側に接着される。図８は、また、キャリアパッケージの側方に形成された引裂可能な部分４０を示し、部分４０を通して、飲料パッケージをキャリアパッケージの内部から取り出すことができる。
【００２６】
図９は、図８に示したブランク１５を、パッケージングマシン内に配置されることができる形態で示す。第１フラップ３２は、折り曲げ点３１にて折り曲げられ、カバーの外側層３ｂの裏側に固定されている。また、カバーの内側層３ａは、折り曲げ点３８にて折り曲げられており、第２フラップ３６の裏側に固定されている。こうして、ブランク１５の短い側の両方が、ブランク１５をパッケージングマシン内に送り込むことを容易にする２層部分を含む。パッケージングマシン内にて、第１ハンドルストリップ６’と第２ハンドルストリップ６”とが、第１の均一な接着継手３０により互いに接着されることができる。さらに、第２留め付けストリップ３７が、第２の均一な接着継手４１により、第１留め付けストリップ３３に接着されることができる。こうして、カバー３は、２つの均一な接着継手３０及び４１を含むことができ、この場合、カバー３は堅固に取り付けられ得る。カバー３の堅固さをさらに増大するものは、第２の接着継手４１の側には開口部１４が延在せずに、開口部１４が、接着されていない厚み増大ストリップ３９に配置されていることである。図示されている構造の利点は、また、互いに接着される部分の留め付け面が、シートの上面の一部であり、この面の質が、一般的にシートの裏側の質よりも良いことである。
【００２７】
図８及び図９に示されている解決法においても、形成されるハンドルストリップ６は、カバーの内側部分３ａと外側部分３ｂとの間に配置される。第１のハンドルストリップ６’の裏側とカバーの内側層３ａの裏側との間に形成されるものは、ハンドルを形成するために留め付け点７ａ’と７ｂ’が互いに向って移動することを可能にするフリースペース８である。さらに、開口部３５及び折り曲げ部１１が、ハンドルの形成を補助する。
【００２８】
図９は、また、キャリアパッケージのハンドリング時を考慮した他の点を示す。カバーの外側層３ｂの上面は、好ましくは、キャリアパッケージが様々なマニピュレータにより取り扱われることができるように、可能な限り滑らかで均一であるように形成される。図９に記載されているブランク１５には、カバーの外側層３ｇの端部に、第１の固定面４２が設けられており、この面４２上に、マニピュレータ又は対応する装置の吸着盤を固定することができる。補強部９のカットが第２の固定面４３に配置されているが、より小さい固定力を有する吸着盤であれば、固定面４３に固定されることができる。
【００２９】
図１０は、キャリアパッケージの第３のブランク１５の、折り曲げられていない状態の図を示す。ブランク１５は、単一のシートから形成されることができ、図１０より以前に示した図におけるブランクに、大部分が対応している。このブランク１５において、カバーの外側層３ｂに、サイドフラップ４４が、折り曲げ点１８を介して設けられている。さらに、ブランク１５の第２の短い端部には、カバーの内側層３ａが、折り曲げ点１８を介して設けられ、内側層３ａは、開口部４５を含み得る。フラップ４７が、カバーの内側層３ａに、折り曲げ点４６を介して連結されている。フラップ４７は、留め付けストリップ４８、厚み増大ストリップ４９、及びハンドルストリップ６を含む。細長いハンドルストリップ６が、カット３４により、留め付けストリップ４８及び厚み増大ストリップ４９から範囲を限定されている。
【００３０】
図１１は、図１０に示されたブランク１５を、パッケージングマシン内に送り込むことができる形態で示す。フラップ４７は折り曲げ点４６にて折り曲げられ、カバーの内側層３ａに固定されている。従って、フラップ４７の裏側４７’が見えている。パッケージングマシン内で、留め付けストリップ４８は、均一な接着継手５０を用いてカバーの外側層３ｂの裏面に固定されることができる。また、ハンドルストリップ６は、接着継手５１を用いて、補強部９の裏面に固定され得る。さらに、サイドフラップ４４が、キャリアパッケージの反対側の壁の上側部分２ｂに向って折り曲げられることができ、そして、サイドフラップ４４は、均一な接着継手５２を用いて側壁２ｂに固定されることができる。こうして、カバー３は、特に堅固になる。ハンドルストリップ６は１層のみを含むが、カバーの構造が、強力なサイドサポートをハンドルにもたらすため、ハンドルは、なお堅固であり得る。開放スペース８が、ハンドルストリップ６とカバーの内側層３ａとの間に残っており、これが、ハンドルを形成するときに留め付け点７ａ，７ｂが互いに向って移動することを可能にする。さらに、開口部４５も、開放スペースとして機能することができ、折り曲げ点１１と共に、ハンドルの形成を補助し得る。
【００３１】
本発明に関する図面及び詳細な説明は、単に、本発明の概念を示すためのものである。本発明の詳細は、特許請求の範囲内で変化し得る。従って、本発明に従うキャリアパッケージは、本件の図面に示された以外の他のタイプのブランクから形成されることができる。
【図面の簡単な説明】
【００３２】
【図１】図１は、本発明に従うキャリアパッケージの側面図を概略的に示す。
【図２】図２は、本発明に従うキャリアパッケージの上面図を概略的に示す。
【図３】図３は、本発明に従うキャリアパッケージの端面図を概略的に示す。
【図４】図４は、本発明に従うキャリアパッケージのブランクの、接着前の折り曲げられていない状態の図を概略的に示す。
【図５】図５は、図４に示したブランクの、接着後の折り曲げられていない状態の図を概略的に示す。
【図６】図６は、キャリア構造の一実施形態を概略的に示す。
【図７】図７ａ及び７ｂは、本発明に従うキャリアハンドルの原理を、休止位置及び運搬位置にて概略的に示す側面図である。
【図８】図８は、本発明に従うキャリアパッケージの第２のブランクの、接着前の折り曲げられていない状態の図を概略的に示す。
【図９】図９は、本発明に従うキャリアパッケージの第２のブランクの、接着後の折り曲げられていない状態の図を概略的に示す。
【図１０】図１０は、本発明に従うキャリアパッケージの第３のブランクの、接着前の折り曲げられていない状態の図を概略的に示す。
【図１１】図１１は、図１０に示したブランクの、接着後の折り曲げられていない状態の図を概略的に示す。
【図１】
2007533557.tif 000003
【図２】
2007533557.tif 000004
【図３】
2007533557.tif 000005
【図４】
2007533557.tif 000006
【図５】
2007533557.tif 000007
【図６】
2007533557.tif 000008
【図７ａ】
2007533557.tif 000009
【図７ｂ】
2007533557.tif 000010
【図８】
2007533557.tif 000011
【図９】
2007533557.tif 000012
【図１０】
2007533557.tif 000013
【図１１】
2007533557.tif 000014
【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
複数の飲料パッケージ（１３）を内部に配置可能なキャリアパッケージであって、
底部（１）、少なくとも２つの側壁（２）、及びカバー（３）と、
カバー（３）の、互いに重ね合わせて配置された内側部分（３ａ）及び外側部分（３ｂ）と、
カバー（３）上に形成された少なくとも１つのハンドル（５）と、
を含み、
カバー（３）が、カバー（３）の内側部分（３ａ）と外側部分（３ｂ）との間に配置された、少なくとも１つの細長いハンドルストリップ（６）を含み、
カバー（３）の外側部分（３ｂ）に、少なくとも１つの開口部（１４）が設けられており、この開口部（１４）を通して、ハンドルストリップ（６）の一部が外側部分（３ｂ）の外側に引き出されて、ループ状のハンドル（５）を形成することができる、キャリアパッケージにおいて、
ハンドルストリップ（６）が、第１の留め付け点（７ａ）及び第２の留め付け点（７ｂ）からカバー（３）に留め付けられ、
少なくとも１つのフリースペース（８，８ａ，８ｂ）が、カバー（３）の、第１留め付け点（７ａ）と第２留め付け点（７ｂ）との間の部分に予め形成されており、
フリースペース（８，８ａ，８ｂ）が、カバーの内側部分（３ａ）において留め付け点（７ａ，７ｂ）の近傍に形成された少なくとも１つの開口部（２３）を含み、それにより、留め付け点（７ａ，７ｂ）が、ハンドル（５）を持ち上げるときに互いに向って移動されるように配置されており、
ハンドルストリップ（６）が、カバー（３）の均一な部分であることを特徴とするキャリアパッケージ。
【請求項２】
内側部分（３ａ）には、留め付け点（７ａ，７ｂ）の位置に折り曲げ点（１１）が設けられ、この折り曲げ点（１１）が、留め付け点（７ａ，７ｂ）が互いに向って移動することを可能にすることを特徴とする請求項１に記載のキャリアパッケージ。
【請求項３】
カバー（３）の２つの対向する端部に、カバー（３）の構造の残りの部分に折り曲げ点（１１）を介して連結された支持フラップ（１０）が設けられ、
留め付け点（７ａ，７ｂ）が支持フラップ（１０）の位置に配置され、且つ、
予め決められた力がハンドルストリップ（６）に加えられたときに、支持フラップ（１０）がキャリアパッケージの底部（１）に向って回転するように支持フラップ（１０）が配置されていることを特徴とする請求項１に記載のキャリアパッケージ。
【請求項４】
引裂可能な補強部（９）が、カバー（３）の外側部分（３ｂ）に、ハンドルストリップ（６）の位置に形成され、且つ、
補強部（９）が、補強部（９）の下に配置されたハンドルストリップ（６）に固定され、これによりハンドル（５）の一部を形成することを特徴とする請求項１〜３のいずれか一項に記載のキャリアパッケージ。
【請求項５】
キャリアパッケージの全体がパッキングボードから形成されることを特徴とする請求項１〜４のいずれか一項に記載のキャリアパッケージ。
【請求項６】
キャリアパッケージが単一のシート状ブランク（１５）から形成されることを特徴とする請求項１〜５のいずれか一項に記載のキャリアパッケージ。
【国際調査報告】
2007533557.tif 000015
2007533557.tif 000016
2007533557.tif 000017
2007533557.tif 000018